(57)【要約】【課題】リアフォーカス方式で内蔵エクステンダーを搭載可能な大口径、高ズーム比のズームレンズを提供すること。【解決手段】物体側から順に、変倍中固定の正の第１群、変倍用に移動する負の第２群、少なくとも１群以上が移動の変倍レンズ群、変倍時に固定の最も像側に配置される正レンズ群により構成されるズームレンズにおいて、最も像側の変倍時に固定の正レンズ群は、正レンズ群Ｕ１と正レンズ群Ｕ２で構成され、更に正レンズ群Ｕ１は、正のレンズ群Ａと合焦時に光軸上を移動する負レンズ群Ｂで構成されていることを特徴としている。【選択図】図１
2020020835.tif 000002
【特許請求の範囲】
【請求項１】
物体側から順に、変倍中固定の正の第１群、変倍用に移動する負の第２群、少なくとも１群以上が移動の変倍レンズ群、変倍時に固定の正レンズ群により構成されるズームレンズにおいて、最も像側の変倍時に固定の正レンズ群は、正レンズ群Ｕ１と正レンズ群Ｕ２で構成され、更に正レンズ群Ｕ１は、正のレンズ群Ａと合焦時に光軸上を移動する負レンズ群Ｂで構成され、正レンズ群Ｕ１と正レンズ群Ａと負レンズ群ＢのパワーをそれぞれΦＦｒ、ΦＦｒａ、ΦＦｒｂ、負レンズ群Ｂの横倍率をβｆｒｂとしたとき、以下の条件式を満たすことを特徴とするズームレンズ。
０＜ΦＦｒａ／ΦＦｒ＜０．５
−１．０＜ΦＦｒｂ／ΦＦｒ＜０
５０＜βｆｒｂ＜３００
【請求項２】
正レンズ群Ｕ１と正レンズ群Ｕ２の間隔をＤとし、正レンズ群Ｕ１を構成する負レンズ群Ｂから射出する軸上光線の光束径Ｋとしたとき、以下の条件式を満たすことを特徴とする請求項１に記載のズームレンズ。
１．５＜Ｄ／Ｋ＜２．２
【請求項３】
正レンズ群Ｕ１を構成する負レンズ群Ｂは、凹レンズと凸レンズの２枚で構成され、凹レンズのｄ線の屈折率をＮｎ、凸レンズのｄ線の屈折率Ｎｐとし、凹レンズのアッべ数をνｎ、凸レンズのアッべ数をνｐとしたとき、以下の条件式を満たすことを特徴とする請求項１又は請求項２に記載のズームレンズ。
−０．１＜（Ｎｎ−Ｎｐ）＜０．４
−５＜（νｎ−νｐ）＜３５
【請求項４】
正レンズ群Ｕ１と正レンズ群Ｕ２の間隔に焦点距離変換光学系を挿脱できることを特徴とする請求項１乃至請求項３の何れか一項に記載のズームレンズ。
【請求項５】
請求項１乃至請求項４の何れか一項に記載のズームレンズと、該ズームレンズによって形成した像を受光する撮像素子を有していることを特徴とする撮像装置。
【発明の詳細な説明】
【技術分野】
【０００１】
本発明は、ズームレンズ及びそれを有する撮像装置に関し、放送用テレビカメラ、ビデオカメラ、デジタルスチルカメラ、銀年写真用カメラ等に好適なものである。
【背景技術】
【０００２】
近年、テレビカメラ、銀塩フィルム用カメラ、デジタルスチルカメラ、ビデオカメラ等の撮像装置には、大口径、高ズーム比、小型化、かつ高い光学性能を有したズームレンズが要望されている。
【０００３】
一般的な大口径比、高ズーム比のズームレンズとして、最も物体側に正の屈折力のレンズ群を配し、複数の群から成る変倍レンズ群、変倍時に固定の結像用レンズ群を有するポジティブリード型のズームレンズが知られている。
【０００４】
更にフォーカス方式においては、第１群以外のレンズ群を移動させてフォーカスを行うリアフォーカス方式を採用したズームレンズが種々と提案されている。
【０００５】
一般にリアフォーカス方式は、第１群を移動させてフォーカスを行うのに比べて、小型・軽量のレンズ群を移動させるため、駆動トルクが小さく、迅速な焦点合わせが出来る特徴がある。例えば、特許文献１では第４群の一部を移動させてフォーカスを行うリアフォーカス方式の４群ズームレンズが提案されている。
【先行技術文献】
【特許文献】
【０００６】
【特許文献１】特許第３０９７３９９号公報
【発明の概要】
【発明が解決しようとする課題】
【０００７】
一般的にリアフォーカス方式は、同じ物体距離であっても撮影焦点距離によって、合焦時のフォーカスのストロークが変化し、撮影焦点距離が長くなるほどフォーカスのストロークが長くなる。そのため、全系の焦点距離を変化させる焦点距離変換光学系を挿脱する間隔を確保することが困難で、その提案が望まれていた。
【０００８】
特許文献１では、第４群の一部を移動させてフォーカスを行うリアフォーカス方式を採用しているが、焦点距離変換光学系を挿脱するスペースが確保されていない。
【０００９】
本発明は、リアフォーカス方式を採用し、且つ焦点距離変換光学系の挿脱を可能とした大口径・高ズーム比のズームレンズを提供することを目的としている。
【課題を解決するための手段】
【００１０】
上記の目的を達成するために、本発明に係るズームレンズは、物体側から順に、変倍中固定の正の第１群、変倍用に移動する負の第２群、少なくとも１群以上が移動の変倍レンズ群、変倍時に固定の最も像側に配置される正レンズ群により構成されるズームレンズにおいて、最も像側の変倍時に固定の正レンズ群は、正レンズ群Ｕ１と正レンズ群Ｕ２で構成され、更に正レンズ群Ｕ１は、正のレンズ群Ａと合焦時に光軸上を移動する負レンズ群Ｂで構成されていることを特徴としている。
【発明の効果】
【００１１】
本発明によれば、最も像側の正レンズ群を構成する正レンズ群Ｕ１を正レンズ群Ａと合焦時に光軸上を移動する負レンズ群Ｂで構成することで、リアフォーカス方式でありながら焦点距離変換光学系の挿脱が可能な大口径・高ズーム比のズームレンズを可能としている。
【図面の簡単な説明】
【００１２】
【図１】（Ａ）、（Ｂ）、（Ｃ）、（Ｄ）は、数値実施例１のズームレンズの広角端で無限遠物体に合焦しているときのレンズ断面図、広角端で３．０ｍ（第１面より）に合焦時のレンズ断面図、望遠端で無限遠物体に合焦しているときのレンズ断面図、望遠端で３．０ｍ（第１面より）に合焦時のレンズ断面図である。
【図２】（Ａ）、（Ｂ）、（Ｃ）、（Ｄ）は、数値実施例１における無限遠合焦時の広角端の縦収差図、物体距離３．０ｍ（第１面より）合焦時の広角端の縦収差図、無限遠合焦時の望遠端の縦収差図、物体距離３．０ｍ（第１面より）合焦時の望遠端の縦収差図である。
【図３】（Ａ）、（Ｂ）、（Ｃ）、（Ｄ）は、数値実施例２のズームレンズの広角端で無限遠物体に合焦しているときのレンズ断面図、広角端で３．０ｍ（第１面より）に合焦時のレンズ断面図、望遠端で無限遠物体に合焦しているときのレンズ断面図、望遠端で３．０ｍ（第１面より）に合焦時のレンズ断面図である。
【図４】（Ａ）、（Ｂ）、（Ｃ）、（Ｄ）は、数値実施例２における無限遠合焦時の広角端の縦収差図、物体距離３．０ｍ（第１面より）合焦時の広角端の縦収差図、無限遠合焦時の望遠端の縦収差図、物体距離３．０ｍ（第１面より）合焦時の望遠端の縦収差図である。
【図５】（Ａ）、（Ｂ）、（Ｃ）、（Ｄ）は、数値実施例３のズームレンズの広角端で無限遠物体に合焦しているときのレンズ断面図、広角端で３．０ｍ（第１面より）に合焦時のレンズ断面図、望遠端で無限遠物体に合焦しているときのレンズ断面図、望遠端で３．０ｍ（第１面より）に合焦時のレンズ断面図である。
【図６】（Ａ）、（Ｂ）、（Ｃ）、（Ｄ）は、数値実施例３における無限遠合焦時の広角端の縦収差図、物体距離３．０ｍ（第１面より）合焦時の広角端の縦収差図、無限遠合焦時の望遠端の縦収差図、物体距離３．０ｍ（第１面より）合焦時の望遠端の縦収差図である。
【図７】各実施例のズームレンズを撮影光学系として用いた撮像装置（テレビカメラシステム）の要部概略図である。
【発明を実施するための形態】
【００１３】
以下、本発明を実施するための形態について、図面を参照しながら説明する。
【００１４】
本発明のズームレンズは、物体側から順に変倍中固定の正の屈折力を有する第１群、変倍用に移動する負の屈折力を有する第２群、少なくとも１群以上が移動の変倍レンズ群、絞り、最も像側に配置される変倍中固定の正の屈折力を有するレンズ群により構成されるズームレンズにおいて、最も像側の変倍時に固定の正レンズ群は、正レンズ群Ｕ１と正レンズ群Ｕ２で構成されている。正レンズ群Ｕ１と正レンズ群Ｕ２の間には、焦点距離変換光学系を挿脱するための間隔が確保されている。
【００１５】
更に正レンズ群Ｕ１は、正レンズ群Ａと負レンズ群Ｂで構成され、負レンズ群Ｂが光軸上を物体側に移動して合焦点するリアフォーカス方式を採用している。
【００１６】
本発明では、上記課題に対して、正レンズ群Ｕ１、正レンズ群Ａ、負レンズ群Ｂの焦点距離をそれぞれΦＦｒ、ΦＦｒａ、ΦＦｒｂ、  負レンズ群Ｂの横倍率をβｆｒｂとしたとき、以下の条件式を満足する事を特徴としている。
０＜ΦＦｒａ／ΦＦｒ＜０．５          ・・・（１）
−１．０＜ΦＦｒｂ／ΦＦｒ＜０        ・・・（２）
５０＜βｆｒｂ＜３００              ・・・（３）
条件式（１）は、正レンズ群Ｕ１と正レンズ群Ａの焦点距離の比を規定している。          
【００１７】
条件式（２）は、正レンズ群Ｕ１と正レンズ群Ｂの焦点距離の比を規定している。条件式（１）の下限値、又は条件式（２）の上限値を超えると正レンズ群Ｕ１を構成する正レンズ群Ａ、負レンズ群Ｂのパワーが強くなりすぎる。そのため、特に広角側の諸収差、特に球面収差や軸上色収差の補正が困難となる。また、条件式（１）の上限値、又は条件式（２）の下限値を超えると正レンズ群Ｕ１を構成する正レンズ群Ａ、負レンズ群Ｂのパワーが弱くなる。特に負レンズ群Ｂのパワーが弱いとフォーカスのストロークが増大し、全系のレンズ系が大型化するため良くない。
【００１８】
条件式（３）は、負レンズ群Ｂの横倍率を規定している。正レンズ群Ｕ１と正レンズ群Ｕ２の間に焦点距離変換光学系を挿脱するためには、負レンズ群Ｂから射出する軸上光線が、略アフォーカルとなることが望ましい。そうすることで、焦点距離変換光学系を挿脱した時の前後の間隔精度を軽減することが出来る。条件式（３）の下限値を超えると負レンズ群Ｂから射出する軸上光線の収斂が強くなり、上限値を超えると負レンズ群Ｂから射出する軸上光線の発散が強くなるためよくない。
【００１９】
条件式（１）〜（３）を同時に満たすことで、リアフォーカス方式でありながら焦点距離変換光学系の挿脱が可能な大口径・高ズーム比のズームレンズを実現している。
【００２０】
更に好ましくは、条件式（１）〜（３）を以下のようにするのが良い。
０．０２＜ΦＦｒａ／ΦＦｒ＜０．４      ・・・（１ａ）
−０．５＜ΦＦｒｂ／ΦＦｒ＜−０．０１  ・・・（２ａ）
７０＜βｆｒｂ＜２７０                  ・・・（３ａ）
更に好ましくは、正レンズ群Ｕ１と正レンズ群Ｕ２の間隔をＤとし、正レンズ群Ｕ１を構成する負レンズ群Ｂから射出する軸上光線の光束径Ｋとしたとき、以下の条件式を満たすのが良い。
１．５＜Ｄ／Ｋ＜２．２                  ・・・（４）
条件式（４）は、正レンズ群Ｕ１と正レンズ群Ｕ２の間隔をＤと正レンズ群Ｕ１を構成する負レンズ群Ｂから射出する軸上光線の光束径Ｋの比を規定している。条件式（４）の下限値を超えて、相対的に正レンズ群Ｕ１と正レンズ群Ｕ２の間隔Ｄが小さくなると、負レンズ群Ｂのフォーカスのストローク確保と焦点距離変換光学系の挿脱スペースの確保の両立が困難となる。条件式（４）の上限値を超えて、相対的に正レンズ群Ｕ１と正レンズ群Ｕ２の間隔Ｄが大きくなると、全系のレンズ系が大型化してよくない。
【００２１】
条件式（４）を満たすことで、負レンズ群Ｂのフォーカスのストローク確保と焦点距離変換光学系の挿脱スペースの確保を実現している。
更に好ましくは、条件式（４）を以下のようにするのが良い。
１．６＜Ｄ／Ｋ＜２．１                ・・・（４ａ）
更に好ましくは、正レンズ群Ｕ１を構成する負レンズ群Ｂは、凹レンズと凸レンズの２枚で構成され、凹レンズのｄ線の屈折率をＮｎ、凸レンズのｄ線の屈折率Ｎｐとし、凹レンズのアッべ数をνｎ、凸レンズのアッべ数をνｐとしたとき、以下の条件式を満たすのが良い。
−０．１＜（Ｎｎ−Ｎｐ）＜０．４      ・・・（５）
−５＜（νｎ−νｐ）＜３５            ・・・（６）
条件式（５）および条件式（６）は、負レンズ群Ｂを構成する負レンズと凸レンズの硝材を規定している。条件式（５）及び（６）の下限値、上限値を超えると諸収差の補正が困難となる。特に広角端における球面収差、コマ収差、軸上色収差、倍率色収差等の補正が困難となる。
【００２２】
条件式（５）、（６）を同時に満たすことで、良好な収差補正を実現している。
【００２３】
更に好ましくは、条件式（５）、（６）を以下のようにするのが良い。
０＜（Ｎｎ−Ｎｐ）＜０．３            ・・・（５ａ）
０＜（νｎ−νｐ）＜３０              ・・・（６ａ）
【実施例１】
【００２４】
図１（Ａ）、（Ｂ）、（Ｃ）、（Ｄ）は、本発明の実施例１の広角端で無限遠物体に合焦時のレンズ断面図、広角端で３．０ｍ（第１面より）に合焦時のレンズ断面図、望遠端で無限遠物体に合焦時のレンズ断面図、望遠端で３．０ｍ（第１面より）に合焦時のレンズ断面図である。
【００２５】
図１において、左方が被写体（物体）側（前方）で、右方が像側（後方）である。Ｕ１は常時固定の正の屈折力の第１群である。Ｕ２は変倍用の第２群であり、光軸上を像面側へ移動させることにより、広角端から望遠端への変倍を行っている。Ｕ３とＵ４は共に変倍用の負の屈折力の第３群および正の屈折力の第４群であり、広角端から望遠端にかけて、光軸上を移動する。ＳＰは常時固定の開口絞り、Ｕ５は結像作用を有する第５群（リレー群）である。更に、第５群Ｕ５は、正レンズ群Ｕ５１と正レンズ群Ｕ５２で構成されている。更に、正レンズ群Ｕ５１は、正レンズ群Ｕ５１Ａと負レンズ群Ｕ５１Ｂで構成され、負レンズ群Ｕ５１Ｂを光軸上を像側に移動させてフォーカシングを行う。ＤＧは色分解プリズムや光学フィルタ−等であり、同図ではガラスブロックとして示している。ＩＰは像面であり、固体撮像素子の撮像面に相当する。
【００２６】
図２（Ａ）、（Ｂ）、（Ｃ）、（Ｄ）は、本発明の実施例１の広角端で無限遠物体に合焦時の収差図、広角端で３．０ｍ（第１面より）に合焦時の収差図、望遠端で無限遠物体に合焦時の収差図、望遠端で３．０ｍ（第１面より）に合焦時の収差図である。
【００２７】
図２において、球面収差における直線と破線はそれぞれｅ線，ｇ線である。非点収差における実線と破線はそれぞれサジタル像面（ΔＳ），メリディオナル像面（ΔＭ）であり、倍率色収差はｇ線によって表している。非点収差および倍率色収差は、絞り位置における光束の中心を通る光線を主光線としたときの収差量を示している。
【００２８】
ωは近軸での半画角、ＦｎｏはＦナンバーである。また、実施例において広角端と望遠端は変倍用レンズ群が機構上、光軸上を移動可能な範囲の両端に位置したときの変倍位置をいう。これらは、実施例２、実施例３においても同様である。
【００２９】
実施例１の各条件式対応値を表１に示す。実施例１は、式（１）から（６）の条件式を満足しており、リアフォーカス方式でありながら焦点距離変換光学系の挿脱が可能な大口径・高ズーム比のズームレンズを実現している。
【実施例２】
【００３０】
図３（Ａ）、（Ｂ）、（Ｃ）、（Ｄ）は、本発明の実施例２の広角端で無限遠物体に合焦時のレンズ断面図、広角端で３．０ｍ（第１面より）に合焦時のレンズ断面図、望遠端で無限遠物体に合焦時のレンズ断面図、望遠端で３．０ｍ（第１面より）に合焦時のレンズ断面図である。
【００３１】
図１において、左方が被写体（物体）側（前方）で、右方が像側（後方）である。Ｕ１は常時固定の正の屈折力の第１群である。Ｕ２は変倍用の第２群であり、光軸上を像面側へ移動させることにより、広角端から望遠端への変倍を行っている。Ｕ３とＵ４は共に変倍用の負の屈折力の第３群および正の屈折力の第４群であり、広角端から望遠端にかけて、光軸上を移動する。ＳＰは常時固定の開口絞り、Ｕ５は結像作用を有する第５群（リレー群）である。更に、第５群Ｕ５は、正レンズ群Ｕ５１と正レンズ群Ｕ５２で構成されている。更に、正レンズ群Ｕ５１は、正レンズ群Ｕ５１Ａと負レンズ群Ｕ５１Ｂで構成され、負レンズ群Ｕ５１Ｂを光軸上を像側に移動させてフォーカシングを行う。ＤＧは色分解プリズムや光学フィルタ−等であり、同図ではガラスブロックとして示している。ＩＰは像面であり、固体撮像素子の撮像面に相当する。
【００３２】
図４（Ａ）、（Ｂ）、（Ｃ）、（Ｄ）は、本発明の実施例２の広角端で無限遠物体に合焦時の収差図、広角端で３．０ｍ（第１面より）に合焦時の収差図、望遠端で無限遠物体に合焦時の収差図、望遠端で３．０ｍ（第１面より）に合焦時の収差図である。
【００３３】
実施例２の各条件式対応値を表１に示す。実施例２は、式（１）から（６）の条件式を満足しており、リアフォーカス方式でありながら焦点距離変換光学系の挿脱が可能な大口径・高ズーム比のズームレンズを実現している。
【実施例３】
【００３４】
図５（Ａ）、（Ｂ）、（Ｃ）、（Ｄ）は、本発明の実施例３の広角端で無限遠物体に合焦時のレンズ断面図、広角端で３．０ｍ（第１面より）に合焦時のレンズ断面図、望遠端で無限遠物体に合焦時のレンズ断面図、望遠端で３．０ｍ（第１面より）に合焦時のレンズ断面図である。
【００３５】
図３において、左方が被写体（物体）側（前方）で、右方が像側（後方）である。Ｕ１は常時固定の正の屈折力の第１群である。Ｕ２は変倍用の第２群であり、光軸上を像面側へ移動させることにより、広角端から望遠端への変倍を行っている。Ｕ３とＵ４は共に変倍用の負の屈折力の第３群および負の屈折力の第４群であり、広角端から望遠端にかけて、光軸上を移動する。ＳＰは常時固定の開口絞り、Ｕ５は結像作用を有する第５群（リレー群）である。更に、第５群Ｕ５は、正レンズ群Ｕ５１と正レンズ群Ｕ５２で構成されている。更に、正レンズ群Ｕ５１は、正レンズ群Ｕ５１Ａと負レンズ群Ｕ５１Ｂで構成され、負レンズ群Ｕ５１Ｂを光軸上を像側に移動させてフォーカシングを行う。ＤＧは色分解プリズムや光学フィルタ−等であり、同図ではガラスブロックとして示している。ＩＰは像面であり、固体撮像素子の撮像面に相当する。
【００３６】
図６（Ａ）、（Ｂ）、（Ｃ）、（Ｄ）は、本発明の実施例１の広角端で無限遠物体に合焦時の収差図、広角端で３．０ｍ（第１面より）に合焦時の収差図、望遠端で無限遠物体に合焦時の収差図、望遠端で３．０ｍ（第１面より）に合焦時の収差図である。
【００３７】
実施例３の各条件式対応値を表１に示す。実施例３は、式（１）から（６）の条件式を満足しており、リアフォーカス方式でありながら焦点距離変換光学系の挿脱が可能な大口径・高ズーム比のズームレンズを実現している。
【００３８】
図７は各実施例のズームレンズを撮影光学系として用いた撮像装置（テレビカメラシステム）の要部概略図である。図７において１０１は実施例１〜３のいずれか１つのズームレンズである。
【００３９】
１２４はカメラである。ズームレンズ１０１はカメラ１２４に対して着脱可能になっている。１２５はカメラ１２４にズームレンズ１０１を装着することにより構成される撮像装置である。ズームレンズ１０１は第１レンズ群１１４、変倍時に移動する第２レンズ群〜第４レンズ群の変倍部１１５、結像用の第５レンズ群１１６を有している。ＳＰは開口絞りである。第５レンズ群１１６は、光路中より挿脱可能な焦点距離変換光学系ＩＥを有している。
【００４０】
変倍部１１５には、光軸方向に駆動される為の駆動機構が備わっている。１１７、１１８は変倍部１１５及び開口絞りＳＰを電動駆動するモータ等の駆動手段である。１１９、１２０は、変倍部１１５中の各レンズ群の光軸上の位置と、開口絞りＳＰの絞り径を検出する為のエンコーダやポテンショメータ、あるいはフォトセンサ等の検出器である。尚、変倍部１１５中の各レンズ群の駆動軌跡は、ヘリコイドやカムなどの機械的軌跡や、超音波モータなどによる電気的軌跡のどちらであっても構わない。
【００４１】
カメラ１２４において、１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ本体１０１の各種の駆動を制御するＣＰＵである。このように本発明のズームレンズをテレビカメラに適用することにより、良好な光学性能を有する撮像装置を実現している。
【００４２】
以上、本発明の好ましい実施形態について説明したが、本発明はこれらの実施形態に限定されず、その要旨の範囲内で種々の変形及び変更が可能である。
【００４３】
次に本発明の実施例１〜３に対応する数値実施例１〜３を示す。各数値実施例においてｉは物体側からの面の順序を示し、ｒｉは物体側より第ｉ番目の面の曲率半径、ｄｉは物体側より第ｉ面と第ｉ＋１番目の間隔、ｎｄｉとνｄｉは第ｉ番目の光学部材の屈折率とアッベ数である。最後の３つの面はフィルタ等の硝子ブロックである。焦点距離、Ｆナンバー、画角は、それぞれ無限遠物体に焦点を合わせたときの値を表している。ＢＦはガラスブロックの最終面から像面までの距離を空気換算した値である。
【００４４】
各実施例と前述した各条件式との対応は、表１に示す。
【００４５】
（数値実施例１）
単位 mm
面データ
面番号       r        d      nd         vd       有効径
1        280.984    2.18   1.85478    24.8       71.10
2         93.244    6.80                         69.96
3         98.483   12.49   1.43387    95.1       72.75
4       -189.162    0.13                         72.79
5        127.155    7.74   1.43387    95.1       71.56
6       -990.373    0.13                         71.02
7         62.491    8.10   1.76385    48.5       66.56
8        156.531  (可変)                         65.09
9*      6023.903    0.75   2.00330    28.3       25.16
10         15.415    5.04                         20.64
11        -78.173    7.23   1.80810    22.8       20.50
12        -12.200    0.62   1.88300    40.8       20.32
13        161.357    0.15                         20.61
14         33.434    2.95   1.71736    29.5       20.91
15        129.957  (可変)                         20.64
16        -39.406    0.72   1.72916    54.7       22.97
17         95.794    4.41   1.80518    25.4       24.23
18        -71.277    0.75                         25.15
19        -49.341    0.75   1.83400    37.2       25.23
20       -186.400  (可変)                         26.08
21*        58.464    7.85   1.48749    70.2       28.87
22        -34.939  (可変)                         29.88
23(絞り)    ∞       4.42                         30.19
24        -82.644    5.71   1.48749    70.2       30.34
25        -34.933    0.44                         30.88
26        223.086    6.81   1.49700    81.5       29.71
27        -26.971    1.50   1.83400    37.2       29.28
28        -49.230    0.44                         29.53
29         59.625    2.97   1.51633    64.1       27.71
30        142.989    4.87                         26.84
31        -48.279    1.30   1.88300    40.8       25.37
32         55.026    0.20                         25.26
33         32.162    3.36   1.80518    25.4       25.81
34         61.211   44.49                         25.43
35        -73.255    3.20   1.48749    70.2       29.42
36        -43.012    0.99                         29.98
37       -201.998    0.90   1.88300    40.8       30.18
38         32.938   10.22   1.48749    70.2       30.72
39        -30.426    0.57                         31.61
40         68.832    6.77   1.51742    52.4       32.28
41        -46.402    0.90   1.88300    40.8       32.08
42       1571.135    0.19                         32.33
43         27.074    6.90   1.51742    52.4       33.12
44        176.290    4.50                         32.29
45          ∞      33.00   1.60859    46.4       40.00
46          ∞      13.20   1.51633    64.1       40.00
47          ∞       7.00                         40.00
像面        ∞   
非球面データ
第9面
K =-3.81815e+006  A 4= 1.27008e-005  A 6=-2.16722e-008  A 8=-3.67866e-012  A10=-3.76470e-013  A12= 2.37630e-015  
第21面
K = 4.57923e+000  A 4=-1.15168e-005  A 6= 4.03492e-009  A 8=-1.16108e-011  
各種データ
ズーム比     19.38 
焦点距離       8.24    15.66    36.32   110.64   159.71  
Fナンバー      1.85     1.85     1.85     1.85     2.36  
画角          33.72    19.35     8.61     2.85     1.97  
像高           5.50     5.50     5.50     5.50     5.50  
レンズ全長   307.15   307.15   307.15   307.15   307.15  
BF             7.00     7.00     7.00     7.00     7.00  
d 8            1.00    16.49    38.49    53.57    55.99  
d15           69.23    21.95     7.06     4.10     4.11  
d20            1.98    10.01    12.85     7.12     2.54  
d22            1.29    25.05    15.10     8.73    10.86  
入射瞳位置    44.33    77.70   195.61   576.42   789.21  
射出瞳位置    69.76    69.76    69.76    69.76    69.76  
前側主点位置  53.65    97.27   252.95   882.08   1355.32  
後側主点位置  -1.24    -8.66   -29.33  -103.64  -152.72  
ズームレンズ群データ
群  始面    焦点距離  レンズ構成長  前側主点位置  後側主点位置
1    1      77.66        37.57        21.31         -4.13
2    9     -13.95        16.74         0.54        -11.10
3   16     -52.87         6.63         0.53         -3.43
4   21      45.98         7.85         3.39         -2.03
5   23      58.64       157.85       109.73        -56.16
単レンズデータ
レンズ  始面  焦点距離
1       1   -162.60
2       3    150.88
3       5    259.62
4       7    130.63
5       9    -15.28
6      11     16.88
7      12    -12.75
8      14     61.46
9      16    -38.04
10      17     50.89
11      19    -80.15
12      21     45.98
13      24    119.02
14      26     48.71
15      27    -73.33
16      29    194.96
17      31    -28.78
18      33     79.29
19      35    205.84
20      37    -31.83
21      38     34.14
22      40     54.42
23      41    -50.73
24      43     60.58
25      45      0.00
26      46      0.00
（数値実施例２)
単位 mm
面データ
面番号       r        d      nd         vd       有効径
1        289.002    2.18   1.85478    24.8       72.02
2         96.465    7.24                         70.89
3        101.920   11.99   1.43387    95.1       73.74
4       -221.353    0.13                         73.77
5        116.202    9.11   1.43387    95.1       72.67
6       -492.732    0.13                         72.12
7         60.681    7.78   1.76385    48.5       66.65
8        131.559  (可変)                         65.10
9*       425.754    0.75   2.00330    28.3       24.28
10         14.909    5.34                         19.92
11        -43.966    6.51   1.80810    22.8       19.76
12        -12.016    0.62   1.88300    40.8       19.76
13        161.357    0.15                         20.41
14         41.019    3.31   1.71736    29.5       20.78
15       -177.963  (可変)                         20.71
16        -33.921    0.72   1.77250    49.6       22.84
17        147.282    4.60   1.80518    25.4       24.26
18        -76.189    2.87                         25.56
19        -62.353    0.75   1.72916    54.7       26.81
20       -143.058  (可変)                         27.55
21*        57.395    8.24   1.48749    70.2       30.63
22        -36.975  (可変)                         31.59
23(絞り)    ∞       5.53                         31.80
24        -51.765    3.96   1.48749    70.2       31.88
25        -40.120    0.44                         32.57
26       -769.710    5.15   1.48749    70.2       32.24
27        -56.704    0.44                         32.10
28         84.832    6.25   1.49700    81.5       30.56
29        -39.948    1.50   1.83400    37.2       29.82
30       -121.817    0.44                         29.34
31         81.482    2.59   1.51633    64.1       28.12
32        153.647    4.87                         27.26
33        -66.428    1.30   1.88300    40.8       25.53
34         53.427    0.20                         25.13
35         31.088    2.86   1.80518    25.4       25.48
36         43.012   43.29                         24.95
37       -511.764    4.71   1.50127    56.5       30.00
38        -40.562    0.99                         30.34
39       -239.226    0.90   1.83481    42.7       29.84
40         23.472    7.48   1.50127    56.5       29.69
41       -599.794    0.57                         30.43
42         76.009    5.60   1.50127    56.5       31.76
43        -67.959    0.90   2.00100    29.1       32.16
44       -119.838    0.19                         32.62
45         30.254    8.44   1.48749    70.2       34.39
46       -132.565    4.50                         33.85
47          ∞      33.00   1.60859    46.4       40.00
48          ∞      13.20   1.51633    64.1       40.00
49          ∞      7.00                          40.00
像面        ∞   
非球面データ
第9面
K =-6.71351e+002  A 4= 1.06718e-005  A 6=-8.08670e-009  A 8=-1.02683e-010  A10=-1.46888e-013  A12= 2.64790e-015  
第21面
K = 2.39206e-001  A 4=-8.16189e-006  A 6= 4.58095e-009  A 8=-3.79160e-012  
各種データ
ズーム比     19.38 
焦点距離       8.24    15.68    36.30   110.64   159.67  
Fナンバー      1.85     1.85     1.85     1.85     2.34  
画角          33.72    19.33     8.62     2.85     1.97  
像高           5.50     5.50     5.50     5.50     5.50  
レンズ全長   310.59   310.59   310.59   310.59   310.59  
BF             7.00     7.00     7.00     7.00     7.00  
d 8            0.99    18.06    38.48    53.67    56.07  
d15           67.65    26.54     6.32     3.64     3.67  
d20            2.05     8.91    13.16     7.22     2.62  
d22            1.19    18.36    13.91     7.35     9.52  
入射瞳位置    44.80    83.03   195.94   584.17   797.57  
射出瞳位置    67.62    67.62    67.62    67.62    67.62  
前側主点位置  54.16   102.76   253.98   896.75   1377.80  
後側主点位置  -1.24    -8.68   -29.30  -103.64  -152.67  
ズームレンズ群データ
群  始面    焦点距離  レンズ構成長  前側主点位置  後側主点位置
1    1      77.79        38.57        21.70         -4.54
2    9     -13.92        16.68         0.19        -12.18
3   16     -54.10         8.94         0.22         -5.92
4   21      47.33         8.24         3.46         -2.23
5   23      58.98       159.29       114.76        -53.73
単レンズデータ
レンズ  始面  焦点距離
1       1   -168.69
2       3    162.27
3       5    217.16
4       7    140.05
5       9    -15.29
6      11     18.55
7      12    -12.57
8      14     46.40
9      16    -35.46
10      17     62.37
11      19   -151.52
12      21     47.33
13      24    327.96
14      26    124.85
15      28     55.41
16      29    -71.42
17      31    330.69
18      33    -33.17
19      35    124.58
20      37     87.22
21      39    -25.42
22      40     45.05
23      42     72.22
24      43   -156.93
25      45     51.23
26      47      0.00
27      48      0.00
（数値実施例３)
単位 mm
面データ
面番号       r        d      nd         vd       有効径
1*       367.539    5.10   1.69680    55.5      172.09
2         98.526   48.24                        143.15
3       -168.348    4.50   1.69680    55.5      142.17
4        349.526    0.20                        144.24
5        290.134   13.93   1.92286    18.9      145.08
6       10383.704    9.66                        144.91
7      -16110.891   21.95   1.48749    70.2      145.75
8       -167.540    0.20                        147.50
9        222.817   25.57   1.48749    70.2      149.17
10       -364.523    0.20                        148.18
11      -3805.335    5.70   1.71736    29.5      144.49
12        189.624    3.08                        139.06
13        176.696   23.05   1.49700    81.5      139.51
14       -488.553    0.20                        139.19
15        131.004    5.70   1.83400    37.2      132.75
16         90.317   33.26   1.43875    94.9      124.44
17       -566.826    0.20                        122.52
18        149.407    8.02   1.62041    60.3      112.76
19        281.341  (可変)                        110.95
20        836.258    2.00   1.88300    40.8       43.91
21         28.059   10.85                         36.84
22        -93.554    2.50   1.72047    34.7       36.56
23       1748.930    6.26   1.80810    22.8       36.97
24        -46.129    2.00                         37.16
25        -60.753    1.50   1.65412    39.7       35.07
26         76.267    3.00                         34.41
27         39.415    6.10   1.80810    22.8       35.06
28         52.481  (可変)                         33.33
29        -60.343    1.60   1.79952    42.2       32.79
30         69.974    7.59   1.84666    23.8       34.90
31      -1129.373  (可変)                         36.59
32        289.828    6.00   1.48749    70.2       41.98
33        -73.636  (可変)                         42.68
34(絞り)    ∞       2.00                         44.32
35       -340.900    5.82   1.48749    70.2       44.59
36       -164.345    0.35                         45.51
37       1063.223    9.36   1.48749    70.2       45.81
38        -66.994    0.20                         46.20
39         66.205   14.01   1.49700    81.5       44.18
40        -49.423    2.25   1.83400    37.2       41.98
41        448.096    0.20                         41.01
42        123.188    7.87   1.51633    64.1       40.77
43        -98.848    1.09                         39.84
44       -118.616    2.25   1.77250    49.6       38.96
45         53.588    0.20                         37.75
46         40.682    6.38   1.80810    22.8       38.21
47         55.635   74.48                         36.72
48        236.886    2.50   1.83400    37.2       38.17
49         54.284    6.97   1.48749    70.2       38.31
50        -98.040    0.20                         38.65
51        723.622    4.64   1.48749    70.2       38.95
52        -66.530    2.50   1.83400    37.2       39.05
53        -79.229    0.23                         39.55
54         34.724    5.56   1.48749    70.2       38.54
55        107.306   14.40                         37.85
56          ∞      33.00   1.60859    46.4       38.00
57          ∞      13.20   1.51633    64.2       38.00
58          ∞       6.52                         38.00
像面        ∞   
非球面データ
第1面
K = 0.00000e+000  A 4=-9.51378e-009  A 6= 3.54295e-012  A 8=-9.57256e-016  A10= 1.42514e-019  A12=-7.62670e-024  
各種データ
ズーム比     25.83 
焦点距離       6.75    15.58    34.84   119.97   174.38  
Fナンバー      1.55     1.55     1.55     1.55     2.23  
画角          39.17    19.44     8.97     2.62     1.81  
像高           5.50     5.50     5.50     5.50     5.50  
レンズ全長   626.95   626.95   626.95   626.95   626.95  
BF             6.52     6.52     6.52     6.52     6.52  
d19            2.49    61.46    97.10   127.30   132.09  
d28          133.94    67.99    27.96     7.98     7.65  
d31            6.18    13.97    20.00    12.69     2.87  
d33           10.00     9.20     7.55     4.64    10.00  
入射瞳位置   107.94   181.25   307.13   737.33   954.82  
射出瞳位置    62.80    62.80    62.80    62.80    62.80  
前側主点位置 115.50   201.15   363.54   1113.06   1669.47  
後側主点位置  -0.23    -9.06   -28.32  -113.45  -167.85  
ズームレンズ群データ
群  始面    焦点距離  レンズ構成長  前側主点位置  後側主点位置
1    1     119.41       208.77       124.01         48.24
2   20     -27.89        34.21         3.13        -20.84
3   29     -84.88         9.19        -0.37         -5.37
4   32     120.70         6.00         3.23         -0.82
5   34     115.66       209.64       254.99       -148.87
単レンズデータ
レンズ  始面  焦点距離
1       1   -193.87
2       3   -161.79
3       5    319.25
4       7    345.96
5       9    286.81
6      11   -249.64
7      13    263.37
8      15   -370.13
9      16    179.89
10      18    499.85
11      20    -32.73
12      22   -122.35
13      23     55.14
14      25    -51.17
15      27    160.28
16      29    -40.08
17      30     77.29
18      32    120.70
19      35    641.77
20      37    129.19
21      39     59.15
22      40    -52.93
23      42    107.12
24      44    -47.28
25      46    155.55
26      48    -84.43
27      49     72.52
28      51    124.80
29      52   -543.34
30      54    102.38
31      56      0.00
32      57      0.00
【００４６】
【表１】
2020020835.tif 000003
【符号の説明】
【００４７】
Ｕ１  第１レンズ群、  Ｕ２  第２レンズ群、  Ｕ３  第３レンズ群、
Ｕ４  第４レンズ群、  Ｕ５  第５レンズ群、  Ｕ５１Ａ  第５１Ａレンズ群、
Ｕ５１Ｂ  第５１Ｂレンズ群、  ＳＰ  絞り、  ＤＧ  ガラスブロック、
ＩＰ  撮像面
【図１】
2020020835.tif 000004
【図２】
2020020835.tif 000005
【図３】
2020020835.tif 000006
【図４】
2020020835.tif 000007
【図５】
2020020835.tif 000008
【図６】
2020020835.tif 000009
【図７】
2020020835.tif 000010